(57)【要約】【課題】作業者の邪魔にならない省スペースかつ凹凸の少ない形状の画像形成装置を提供する。【解決手段】画像形成装置１は、画像読取部２を備える。画像読取部２は、載置ユニット２２１と、画像読取ユニット２２４と、筐体２０とを備える。載置ユニット２２１は、原稿を載置する載置面２２２を有する。画像読取ユニット２２４は、載置面２２２に載置された原稿の画像を副走査方向に走査して読み取る。筐体２０は、載置面２２２を露出するための開口部７を有し、画像読取ユニット２２４を収容する。載置ユニット２２１は、第１の位置から第２の位置まで副走査方向に沿って移動可能である。第１の位置において、載置面２２２上の領域のうちの原稿が載置される第１の領域６の少なくとも一部が、筐体２０に覆われる。第２の位置において、第１の領域６が開口部７を介して露出する。【選択図】図４
2015139192.tif 000002
【特許請求の範囲】
【請求項１】
画像読取部を備える画像形成装置であって、
前記画像読取部は、
原稿を載置する載置面を有する載置ユニットと、
前記載置面に載置された原稿の画像を副走査方向に走査して読み取る画像読取ユニットと、
前記載置面を露出するための開口部を有し、前記画像読取ユニットを収容する筐体とを備え、
前記載置ユニットは、第１の位置から第２の位置まで副走査方向に沿って移動可能であり、
前記第１の位置において、前記載置面上の領域のうちの原稿が載置される第１の領域の少なくとも一部が、前記筐体に覆われ、
前記第２の位置において、前記第１の領域が前記開口部を介して露出する、画像形成装置。
【請求項２】
前記第１の位置において、前記載置面が前記筐体に収容され、
前記第２の位置において、前記載置面の一部が前記筐体の外部に突出する、請求項１に記載の画像形成装置。
【請求項３】
前記第１の位置において、前記載置ユニットが前記筐体に収容され、
前記第２の位置において、前記載置ユニットの一部が前記筐体の外部に突出する、請求項１に記載の画像形成装置。
【請求項４】
前記画像読取部は、
前記第１の位置と前記第２の位置との間で前記載置ユニットを移動させる駆動機構をさらに備え、
前記駆動機構は、
前記画像読取部が原稿の画像の読み取りを開始する前に、前記載置ユニットを前記第２の位置へ移動させ、
前記画像読取部が原稿の画像の読み取りを終了した後に、前記載置ユニットを前記第１の位置へ移動させる、請求項１〜３のうちのいずれかに記載の画像形成装置。
【請求項５】
前記駆動機構は、
モーターと、
前記モーターにより正逆回転されるドラムと、
一端が前記ドラムに巻かれ、他端が前記載置ユニットに接続されるワイヤーとを備え、
前記モーターを正逆回転させることにより、前記ドラム及び前記ワイヤーを介して前記載置ユニットを移動させる、請求項１〜４のうちのいずれかに記載の画像形成装置。
【請求項６】
シートに画像を形成する画像形成部をさらに備え、
前記画像読取部及び前記画像形成部は、上下に配置され、
前記載置ユニットが前記第１の位置にある場合における前記画像読取部の副走査方向の幅と、前記画像形成部の副走査方向の幅とが略同一である、請求項１〜５のうちのいずれかに記載の画像形成装置。
【請求項７】
前記画像読取部は、原稿を搬送する原稿搬送機構をさらに備え、
前記原稿搬送機構による原稿の搬送方向と、前記画像形成部におけるシートの搬送方向とが直交する、請求項６に記載の画像形成装置。
【発明の詳細な説明】
【技術分野】
【０００１】
本発明は、画像形成装置に関する。
【背景技術】
【０００２】
従来、画像読取部を備える画像形成装置として、例えば複合機が知られている（例えば、特許文献１参照）。
【０００３】
また、例えばスモールオフィス向けに設計された省スペース型の複合機が知られている。省スペース型の複合機は、一般の複合機よりも小さく、例えばＡ４サイズ以下のサイズの原稿又は用紙を読み取り又は画像形成の対象とする。
【先行技術文献】
【特許文献】
【０００４】
【特許文献１】特開２０１３−２１２９３２号公報
【発明の概要】
【発明が解決しようとする課題】
【０００５】
省スペース型の複合機として、例えば、原稿搬送装置を備える画像読取部と画像形成部とが上下に配置され、画像読取部における原稿の搬送方向と、画像形成部における用紙の搬送方向とが異なる複合機がある。この種の複合機、すなわち原稿及び用紙の搬送方向が異なる複合機において、原稿の搬送方向は、一般に複合機の幅方向、すなわち正面視して左右方向である。また、当該複合機において、用紙の搬送方向は、一般に複合機の奥行方向、すなわち正面視して前後方向である。このように、用紙の搬送方向を複合機の奥行方向とすることで、複合機の省スペース化、特に幅方向の省スペース化が図られている。一方で、ユーザーの操作性等が考慮され、原稿の搬送方向は、複合機の幅方向とされる。
【０００６】
しかし、原稿の搬送方向を複合機の幅方向とし、用紙の搬送方向を複合機の奥行方向とした場合、通常、画像読取部の幅、すなわち正面視した場合の左右方向の長さは、画像形成部の幅よりも大きくなる。従って、この場合、複合機は、画像読取部が画像形成部から幅方向にはみ出す形状となる。
【０００７】
省スペース型の複合機は、例えば事務作業が行われる机の上又は机の横に設置されることが多いため、その外観は、作業者の邪魔にならないように凹凸の少ない形状であることが望まれる。従って、画像読取部が画像形成部から幅方向にはみ出す形状は、作業者の邪魔になりやすく、好ましい形状とは言えない。
【０００８】
本発明は、上記課題に鑑みてなされたものであり、その目的は、作業者の邪魔にならない省スペースかつ凹凸の少ない形状の画像形成装置を提供することにある。
【課題を解決するための手段】
【０００９】
本発明の一観点に係る画像形成装置は、画像読取部を備える。前記画像読取部は、載置ユニットと、画像読取ユニットと、筐体とを備える。前記載置ユニットは、原稿を載置する載置面を有する。前記画像読取ユニットは、前記載置面に載置された原稿の画像を副走査方向に走査して読み取る。前記筐体は、前記載置面を露出するための開口部を有し、前記画像読取ユニットを収容する。前記載置ユニットは、第１の位置から第２の位置まで副走査方向に沿って移動可能である。前記第１の位置において、前記載置面上の領域のうちの原稿が載置される第１の領域の少なくとも一部が、前記筐体に覆われる。前記第２の位置において、前記第１の領域が前記開口部を介して露出する。
【発明の効果】
【００１０】
本発明によると、作業者の邪魔にならない省スペースかつ凹凸の少ない形状の画像形成装置が提供される。
【図面の簡単な説明】
【００１１】
【図１】図１は、実施形態に係る画像形成装置の正面図である。
【図２】図２は、実施形態に係る画像形成装置の側面図である。
【図３】図３は、実施形態に係る画像形成部の内部構成を示す図である。
【図４】図４は、実施形態に係る画像読取部の内部構成を示す図である。
【図５】図５は、実施形態に係る載置ユニットの斜視図である。
【図６】図６は、伸長した場合の画像読取部の内部構成を示す図である。
【図７】図７（ａ）は、収縮した場合の読取部本体を上から見た図である。図７（ｂ）は、伸長した場合の読取部本体を上から見た図である。
【発明を実施するための形態】
【００１２】
本発明の実施形態について、図面を参照しながら説明する。なお、以下に説明する実施形態は、特許請求の範囲に係る発明を限定するものではない。また、実施形態の中で説明されている諸要素及びその組み合わせの全てが発明の解決手段に必須であるとは限らない。これらの図面において、複数の図を通じて同一の符号は同一の構成要素を示している。
【００１３】
図１は、実施形態に係る画像形成装置の正面図である。図２は、実施形態に係る画像形成装置の側面図である。図１及び図２を参照して、本実施形態に係る画像形成装置の全体構成を説明する。
【００１４】
本実施形態に係る画像形成装置１は、省スペース型の複合機（ＭＦＰ：Multi Function Peripheral）である。画像形成装置１は、例えばＡ４サイズ以下のサイズの原稿又は用紙（シート）を読み取り又は画像形成の対象とする。画像形成装置１は、原稿の読み取りを行う画像読取部２と、用紙への画像の形成を行う画像形成部３とを備える。画像読取部２は、画像形成部３の上に配置される。
【００１５】
画像読取部２は、原稿を自動的に給紙して読み取る機能を有する。画像読取部２は、原稿搬送装置２１と、読取部本体２２と、操作台２３とを備える。原稿搬送装置２１は、原稿を自動的に給紙する装置であり、読取部本体２２の上に配置される。原稿搬送装置２１は、例えば読取部本体２２の後部上端にヒンジ部を介して回動自在に取り付けられる。原稿搬送装置２１が上側後方に持ち上げられることにより、読取部本体２２の上面に配置される原稿台２２２（図４参照）が開放され、原稿台２２２への原稿の載置が可能となる。原稿搬送装置２１は、原稿台２２２を上方から覆う原稿台カバーとしても機能する。
【００１６】
読取部本体２２の前面には、操作台２３が配置される。操作台２３には、操作パネル４が設けられる。操作パネル４は、表示部４１と、操作キー４２とを備える。表示部４１は、例えばタッチパネル機能を有する液晶ディスプレーである。表示部４１には、画像形成装置１の状態や各種のメッセージ等が表示される。また、表示部４１には、機能の選択や設定、文字入力等を行うためのキーが表示される。操作キー４２は、ユーザーが画像形成装置１に対して情報を入力するためのハードキーである。操作キー４２としては、例えば、コピー等の各種機能の実行開始を指示するためのスタートキーや、印刷部数等を入力するためのテンキーがある。
【００１７】
画像形成部３は、読取部本体２２の下に配置される。画像形成部３の前面には、給紙カセット３２（図３参照）に用紙をセットする際に開閉される給紙部カバー３１が設けられる。
【００１８】
本実施形態に係る画像形成装置１は、画像読取部２における原稿の搬送方向と、画像形成部３における用紙の搬送方向とが異なる。具体的には、原稿の搬送方向は、画像形成装置１の幅方向、すなわち正面視して左右方向（図１のＸ方向）である。ユーザーの操作性等が考慮され、原稿の搬送方向は、画像形成装置１の幅方向とされる。また、用紙の搬送方向は、画像形成装置１の奥行方向、すなわち正面視して前後方向（側面視して左右方向であり、図２のＹ方向）である。用紙の搬送方向を画像形成装置１の奥行方向とすることで、画像形成部３の省スペース化、特に幅方向の省スペース化が図られている。このように、本実施形態に係る画像形成装置１において、原稿の搬送方向と用紙の搬送方向とは、直交する。
【００１９】
図３は、実施形態に係る画像形成部の内部構成を示す図である。図３中の右側が画像形成装置１の前側に対応し、図３中の左側が画像形成装置１の後側に対応する。
【００２０】
画像形成部３は、給紙カセット３２と、給紙ローラー３３と、搬送ローラー３４（３４Ａ及び３４Ｂ）と、画像形成ユニット３５と、定着ユニット３６と、用紙排出トレイ３７とを備える。給紙カセット３２、給紙ローラー３３、搬送ローラー３４、画像形成ユニット３５、及び定着ユニット３６は、画像形成部３の筐体３０に収容される。
【００２１】
給紙カセット３２は、複数枚の用紙を収容する。給紙ローラー３３は、給紙カセット３２から用紙を１枚ずつ繰り出す。搬送ローラー３４Ａは、給紙ローラー３３が繰り出した用紙を画像形成ユニット３５へ搬送する。
【００２２】
画像形成ユニット３５は、給紙カセット３２から搬送されてきた用紙に画像を形成する。画像形成ユニット３５は、感光体ドラム３５１と、帯電装置３５２と、露光装置３５３と、現像装置３５４と、転写ローラー３５５とを備える。
【００２３】
感光体ドラム３５１は、所定の方向に回転駆動する。帯電装置３５２は、感光体ドラム３５１を所定の電位に帯電させる。露光装置３５３は、画像データに基づきレーザー光を出力して感光体ドラム３５１を露光することで、画像データに応じた静電潜像を感光体ドラム３５１上に形成する。画像データとしては、例えば、画像読取部２が原稿を読み取って生成した画像データや、通信ネットワークを介して外部のコンピューターから受信した画像データが用いられる。
【００２４】
現像装置３５４は、感光体ドラム３５１上の静電潜像にトナーを供給して現像し、感光体ドラム３５１上にトナー像を形成する。転写ローラー３５５は、感光体ドラム３５１上のトナー像を用紙に転写する。具体的には、転写ローラー３５５が感光体ドラム３５１に圧接され、第１ニップ部が形成される。そして、用紙が第１ニップ部を通過する際、所定の電圧が転写ローラー３５５に印加され、感光体ドラム３５１上のトナー像が用紙に転写される。
【００２５】
定着ユニット３６は、転写されたトナー像を用紙に定着させる。定着ユニット３６は、発熱体を内蔵する加熱ローラー３６１と、加圧ローラー３６２とを備える。加熱ローラー３６１と加圧ローラー３６２とが圧接され、第２ニップ部が形成される。そして、用紙が第２ニップ部を通過することで、用紙表面のトナーが溶融及び加熱され、トナー像が用紙に定着する。トナー定着後の用紙は、搬送ローラー３４Ｂによって搬送され、用紙排出トレイ３７に排出される。
【００２６】
図４は、実施形態に係る画像読取部の内部構成を示す図である。図４中の右側が画像形成装置１の正面視した場合の右側（以下、単に「画像形成装置１の右側」という）に対応し、図４中の左側が画像形成装置１の正面視した場合の左側（以下、単に「画像形成装置１の左側」という）に対応する。
【００２７】
原稿搬送装置２１は、原稿トレイ２１１と、原稿搬送機構２１２と、原稿排出トレイ２１３とを備える。原稿トレイ２１１には、読み取り対象の原稿が載置される。原稿搬送機構２１２は、原稿トレイ２１１に載置された原稿を１枚ずつ自動的かつ連続的に自動読取位置２１４まで搬送する。ここで、自動読取位置２１４とは、原稿搬送機構２１２により自動的に搬送された原稿の読み取りが行われる位置のことである。自動読取位置２１４において読み取られた原稿は、その後、原稿排出トレイ２１３に排出される。
【００２８】
読取部本体２２は、自動読取位置２１４まで搬送された原稿又は原稿台２２２に載置された原稿に光を照射し、原稿からの反射光に基づいて原稿の画像を読み取って画像データを生成する。読取部本体２２は、原稿を載置する載置面である原稿台２２２を有する載置ユニット２２１と、原稿の画像を読み取る画像読取ユニット２２４とを備える。画像読取ユニット２２４は、読取部本体２２の筐体２０に収容される。
【００２９】
画像読取ユニット２２４は、画像形成装置１の幅方向である副走査方向に移動可能である。画像読取ユニット２２４の移動は、例えば、図示しない第１の駆動機構によって制御される。原稿搬送機構２１２により搬送された原稿を読み取る場合、画像読取ユニット２２４は、自動読取位置２１４に対向する位置へ移動される。そして、画像読取ユニット２２４は、原稿搬送機構２１２による原稿の搬送動作と同期して原稿の画像を読み取る。一方、原稿台２２２に載置された原稿を読み取る場合、画像読取ユニット２２４は、原稿台２２２に対向する位置で原稿面に沿って移動される。そして、画像読取ユニット２２４は、原稿の画像を副走査方向に走査して読み取る。
【００３０】
図５は、実施形態に係る載置ユニットの斜視図である。図５中の手前側が載置ユニット２２１の前側に対応し、図５中の奥側が載置ユニット２２１の後側に対応する。また、図５中の右側が載置ユニット２２１の右側に対応し、図５中の左側が載置ユニット２２１の左側に対応する。
【００３１】
載置ユニット２２１は、原稿台２２２と、支持部材２２３とを有する。原稿台２２２は、例えば透明なガラス材料により形成される平板状の部材である。原稿台２２２には、読み取り対象の原稿が載置される。原稿台２２２上の領域６は、原稿台２２２において実際に原稿が載置され得る領域（以下「原稿載置領域」という）（第１の領域）である。支持部材２２３は、原稿台２２２を支持する部材であり、例えば、読取部本体２２の筐体２０と同じ材料、例えば樹脂材料により形成される。本実施形態において、載置ユニット２２１は、その右側、すなわち支持部材２２３の側が画像形成装置１の右側に位置するように、読取部本体２２に配置される。
【００３２】
本実施形態に係る載置ユニット２２１は、画像形成装置１の幅方向である副走査方向に移動可能である。載置ユニット２２１の移動は、第２の駆動機構５によって制御される。第２の駆動機構５は、巻取モーター５１と、巻取ドラム５２と、ワイヤー５３とを備える。載置ユニット２２１の支持部材２２３は、ワイヤー５３を介して巻取ドラム５２に接続される。巻取ドラム５２は、正逆回転する巻取モーター５１により回転させられ、それにより載置ユニット２２１を副走査方向に自在に移動させる。なお、第２の駆動機構５は、上述した構成に限られない。第２の駆動機構５として、載置ユニット２２１を副走査方向に移動させることができるその他の機構が採用されてもよい。
【００３３】
第２の駆動機構５は、例えば、画像形成装置１全体の動作を制御するＣＰＵ（Central Processing Unit）の指示に基づいて、載置ユニット２２１を目的の位置へ移動させる。本実施形態において、第２の駆動機構５は、第１の位置と第２の位置との間で副走査方向に沿って載置ユニット２２１を移動させる。
【００３４】
図４は、載置ユニット２２１が第１の位置にある場合の画像形成装置１を示している。図４に示すように、第１の位置において、原稿台２２２は、読取部本体２２の筐体２０に収容される。第１の位置において、支持部材２２３の右側面は、画像形成部３の右側面と略同一の平面上に位置する。すなわち、画像読取部２の幅、すなわち正面視した場合の左右方向の長さは、画像形成部３の幅と略同一となる。
【００３５】
ここで、画像形成部３の幅は、省スペース化が考慮されて、できるだけ小さい値に設計されている。画像形成部３がＡ４サイズ以下のサイズの用紙を画像形成の対象とする場合、画像形成部３の幅は、例えば３９０ｍｍである。従って、載置ユニット２２１が第１の位置に移動され、画像読取部２の幅が画像形成部３の幅と略同一となることにより、画像形成装置１全体の省スペース化が図られる。また、画像形成装置１は、凹凸の少ない形状となるため、事務作業が行われる机の上又は机の横に設置されても、作業者の邪魔にはなりにくい。
【００３６】
一方で、原稿搬送装置２１を備える画像読取部２が、例えばＡ４サイズの原稿を原稿台２２２に載置して読み取るためには、画像読取部２の幅は、通常３９０ｍｍでは足りない。なお、ここでは、原稿の搬送方向が画像形成装置１の幅方向であり、Ａ４サイズの原稿が、その長手方向を画像形成装置１の幅方向に合わせて原稿台２２２に載置される場合を想定している。そこで、第２の駆動機構５は、原稿の読み取りが行われる場合、本実施形態では原稿台２２２に載置された原稿の読み取り（以下「原稿台原稿の読み取り」という）が行われる場合に、載置ユニット２２１を第２の位置へ移動させる。
【００３７】
図６は、載置ユニット２２１が第２の位置にある場合の画像形成装置１を示している。図６に示すように、第２の位置において、原稿台２２２の一部が読取部本体２２の筐体２０の外部に突出する。この場合、画像読取部２の幅、すなわち画像読取部２の左側面から支持部２２３の右側面までの長さは、画像形成部３の幅よりも大きくなる。載置ユニット２２１が第２の位置にある場合の画像読取部２の幅は、例えば、画像読取部２が原稿台２２２に載置された原稿を読み取るために必要とされる幅（以下「読取必要幅」という）である。画像読取部２がＡ４サイズ以下のサイズの原稿を読み取りの対象とする場合、読取必要幅は、例えば５１０ｍｍである。
【００３８】
このように、第２の駆動機構５が第１の位置と第２の位置との間で載置ユニット２２１を移動させことで、画像読取部２の幅が伸縮する。本実施形態において、画像読取部２の幅が収縮した場合、すなわち載置ユニット２２１が第１の位置にある場合、画像読取部２の幅は、画像形成部３の幅と略同一となる。一方、画像読取部２の幅が伸長した場合、すなわち載置ユニット２２１が第２の位置にある場合、画像読取部２の幅は、読取必要幅となる。
【００３９】
なお、図６に示すように、画像読取部２の幅が伸長した場合、その伸長に合わせて原稿搬送装置２１の幅が伸長してもよい。それにより、原稿搬送装置２１は、突出した原稿台２２２の一部をも覆うことができる。例えば、原稿搬送装置２１は、原稿搬送装置２１に収容され得る伸縮ユニット２１５を備える。そして、伸縮ユニット２１５が、画像形成装置１の幅方向に移動されることで、原稿搬送装置２１の幅が伸縮されてもよい。伸縮ユニット２１５の移動は、自動で制御されてもよいし、手動で行われてもよい。
【００４０】
本実施形態に係る第２の駆動機構５は、画像読取部２が、原稿の読み取りを開始する前、本実施形態では原稿台原稿の読み取りを開始する前に、載置ユニット２２１を第２の位置へ移動させる。例えば、第２の駆動機構５は、操作パネル４においてコピー機能が選択された場合や原稿搬送装置２１が持ち上げられた場合に、載置ユニット２２１を第２の位置へ移動させる。また、第２の駆動機構５は、画像読取部２が、原稿の読み取りを終了した後、本実施形態では原稿台原稿の読み取りを終了した後に、載置ユニット２２１を第１の位置へ移動させる。このように、画像読取部２が、原稿台原稿の読み取りが行われる場合に伸長し、それ以外の場合に収縮することにより、原稿台原稿の読み取りが行われない場合において、画像形成装置１を省スペースかつ凹凸の少ない形状とすることができる。一方で、原稿台原稿の読み取りが行われる場合には、画像読取部２が読取必要幅まで伸長するので、原稿台原稿の読み取りが可能となる。
【００４１】
図７（ａ）は、収縮した場合の読取部本体を上から見た図である。図７（ｂ）は、伸長した場合の読取部本体を上から見た図である。図７（図７（ａ）及び図７（ｂ））中の下側が読取部本体２２の前側に対応し、図７中の上側が読取部本体２２の後側に対応する。また、図７中の右側が読取部本体２２の右側に対応し、図７中の左側が読取部本体２２の左側に対応する。
【００４２】
読取部本体２２の筐体２０は、その上面に、原稿台２２２を露出するための開口部７を有する。図７中の点線８は、載置ユニット２２１のうちの筐体２０に覆われて隠れた部分を示している。図７（ａ）に示すように、画像読取部２が収縮した場合、原稿台２２２は、筐体２０に収容される。そして、この場合、原稿台２２２上の原稿載置領域６の少なくとも一部が、筐体２０の上面によって覆われる。また、原稿載置領域６の少なくとも一部が、自動読取位置２１４に対向する位置に位置する。一方、図７（ｂ）に示すように、画像読取部２が伸長した場合、原稿台２２２の一部が筐体２０の外部に突出する。そして、この場合、原稿台２２２上の原稿載置領域６の全体が開口部７を介して露出する。本実施形態では、原稿載置領域６は、その一部分が開口部７に対応する位置において露出され、他の部分が開口部７から突出した位置において露出される。なお、原稿載置領域６の全体が、開口部７に対応する位置において露出されてもよい。
【００４３】
このように、本実施形態に係る画像形成装置１は、原稿台原稿の読み取りが行われない場合に、筐体２０内の開口部７が設けられていない側（本実施形態では左側）の領域と、筐体２０内の自動読取位置２１４に対向する領域とを利用して、原稿台２２２の原稿載置領域６に係る部分の一部を収容する。これにより、原稿台原稿の読み取りが行われない場合の画像読取部２の幅を、読取必要幅よりも小さくすることが可能となる。
【００４４】
なお、読取部本体２２の筐体２０は、その上面に設けられた開口部７と、その側面（本実施形態では右側面）に設けられた開口部とが、載置ユニット２２１により閉じられる。これにより、読取部本体２２は、内部にほこりが入らない密閉構造となる。なお、読取部本体２２を密閉構造とするとともに載置ユニット２２１を滑らかに移動させるために、筐体２０と載置ユニット２２１との間に、弾性部材や防塵用の部材、例えばスポンジが配置されてもよい。
【００４５】
本実施形態によれば、画像読取部２が、原稿台原稿の読み取りが行われる場合に伸長し、それ以外の場合に収縮する。これにより、原稿台原稿の読み取りが行われない場合において、画像形成装置１を省スペースかつ凹凸の少ない形状とすることができる。従って、画像形成装置１が事務作業の行われる机の上に設置されていても、作業者は、圧迫感を感じにくくなる。また、画像形成装置１が、通路の傍に設置されていても、通路を通る者の邪魔になることは少なくなる。
【００４６】
以上、本発明の一つの実施形態を説明したが、本発明は、この実施形態に限定されるものでなく、その要旨を逸脱しない範囲で種々変更可能である。なお、図面は、理解しやすくするためにそれぞれの構成要素を主体に模式的に示しており、図示された各構成要素の厚み、長さ、個数等は、図面作成の都合上から実際とは異なる。また、実施形態で示す各構成要素の材質や形状、寸法等は、一例であってこれらに限定されるものではない。
【００４７】
例えば、本実施形態では、第１の位置において、原稿台２２２が筐体２０に収容され、第２の位置において、原稿台２２２の一部が筐体２０の外部に突出したが、次のようにしてもよい。すなわち、第１の位置において、載置ユニット２２１の全体が筐体２０に収容され、第２の位置において、載置ユニット２２１の一部が筐体２０の外部に突出するようにしてもよい。例えば、支持部材２２３だけが突出してもよいし、支持部材及び原稿台２２２の一部が突出してもよい。
【００４８】
また、例えば、第２の駆動機構５は、原稿台原稿の読み取りが行われる場合に加えて、原稿搬送機構２１２によって自動読取位置２１４まで搬送された原稿の読み取りが行われる場合にも、画像読取部２を伸長させてもよい。すなわち、画像読取部２は、伸長した状態において、原稿搬送機構２１２によって自動読取位置２１４まで搬送された原稿の読み取りを行ってもよい。
【符号の説明】
【００４９】
１  画像形成装置
２  画像読取部
２０、３０  筐体
２１  原稿搬送装置
２２  読取部本体
２２１  載置ユニット
２２２  原稿台
２２４  画像読取ユニット
３  画像形成部
４  操作パネル
５  第２の駆動機構
６  原稿載置領域
７  開口部
【図１】
2015139192.tif 000003
【図２】
2015139192.tif 000004
【図３】
2015139192.tif 000005
【図４】
2015139192.tif 000006
【図５】
2015139192.tif 000007
【図６】
2015139192.tif 000008
【図７】
2015139192.tif 000009